(57)【要約】【課題】災害発生時における集合住宅居住者の安否確認を正確かつ迅速に行う。【解決手段】入退出コントローラ４と、パソコン１４と、各居室２２に設置され、各居室２２に居住者が在室しているか否かを確認する在室確認用スイッチ２２Ｄとを備え、パソコン１４は在室データ、居住者データ及び優先度データを記憶する記憶装置１７並びに居室２２毎に安否確認を行なう優先度を設定する制御装置１６を含み、災害が発生したとき、制御装置１６は入退室コントローラ４に各居室２２の居住者の在室確認を依頼し、入退室コントローラ４は、依頼を受けて在室確認用スイッチ２２Ｄの操作状態から居住者の在宅データを取得して制御装置１６に出力し、制御装置１６は入退室コントローラ４から入力された在宅データに基づいて居住者の在・不在を判定し、居住者データ及び優先度データから居室２２単位で安否確認を行なう優先度を設定する。【選択図】図１
2016045646.tif 000002
【特許請求の範囲】
【請求項１】
集合住宅の入退出を制御する入退出コントローラと、
前記入退出コントローラに接続されるパーソナルコンピュータと、
各居室に設置され、前記集合住宅の各居室に居住者が在室しているか否かを確認するための在室確認用スイッチと、
を備えた集合住宅の居住者の安否確認支援システムであって、
前記パーソナルコンピュータは、在室データ、居住者データ及び優先度データを記憶する記憶装置、並びに居室毎に安否確認を行なう優先度を設定する制御装置を含み、
災害が発生したとき、前記制御装置は前記入退室コントローラに各居室の居住者の在室確認を依頼し、
前記入退室コントローラは、前記依頼を受けて前記在室確認用スイッチの操作状態から居住者の在宅データを取得して前記制御装置に出力し、
前記制御装置は、前記入退室コントローラから入力された前記在宅データに基づいて居住者の在・不在を判定し、前記居住者データ及び前記優先度データから予め設定された居室単位で安否確認を行なう優先度を設定することを特徴とする集合住宅居住者の安否確認支援システム。
【請求項２】
請求項１に記載の集合住宅居住者の安否確認支援システムであって、
前記集合住宅の共用部玄関の自動ドア及び各居室の出入口扉の近傍に設けられてＩＤカードに記憶されている認識コードを読み込むカードリーダと、
前記自動ドア及び出入口扉の開閉をそれぞれ制御する前記入退室コントローラ及び制御部と、
をさらに備え、
前記カードリーグが読み込んだ前記認識コードは前記入退出コントローラ及び前記制御部に送信され、
前記カードリーグが読み込んだ前記認識コードが前記入退出コントローラ及び前記制御部に予め記憶されている前記集合住宅居住者に付与される詔識コードと合致したとき、前記自動ドアおよび前記出入口扉を開放し、
前記カードリーダが読み込んだ前記ＩＤカードの前記認識コードと読み込み時刻は前記入退室コントローラ及び前記制御部に格納されることを特徴とする集合住宅居住者の安否確認支援システム。
【請求項３】
請求項１又は２に記載の集合住宅居住者の安否確認支援システムであって、
前記在室確認用スイッチは、前記入退室コントローラ又は前記パーソナルコンピュータの指令信号によって操作による信号出力が有効となることを特徴とする集合住宅居住者の安否確認支援システム。
【請求項４】
請求項３に記載の集合住宅居住者の安否確認支援システムであって、
前記各居室に設置され、前記入退室コントローラ又は前記パーソナルコンピュータの指令信号によって点滅制御され、前記安否確認用スイッチの操作により、点灯制御されるランプを備えたことを特徴とする集合住宅居住者の安否確認支援システム。
【請求項５】
請求項１ないし４のいずれか１項に記載の集合住宅居住者の安否確認支援システムであって、
前記予め設定された居室単位が、予め設定された複数の居室を１つの単位とすることを特徴とする集合住宅居住者の安否確認支援システム。
【請求項６】
請求項５記載の集合住宅居住者の安否確認支援システムであって、
前記１つの単位が階床毎の複数の居室であることを特徴とする集合住宅居住者の安否確認支援システム。
【発明の詳細な説明】
【技術分野】
【０００１】
本発明は、集合住宅居住者の安否確認支援システムに係り、さらに詳しくは、災害発生時における集合住宅居住者の安否確認を正確かつ迅速に実施できるようにするための安否確認支援システムに関する。
【背景技術】
【０００２】
この種の技術として、例えば、特開２００６−３２３７１９号公報（特許文献１）に開示された技術が公知である。この技術は、とくに災害時等において、会社内等の所定の場所への入退場者の安否を確実に確認できるようにするためのものである。この技術では、認証端末が入退場者のＩＣカードに登録された登録情報を用いて、入退場管理の対象者の入退場記録を更新し、災害時等に第１確認部が入場の記録があって退場の記録がない不明候補対象者を抽出し、抽出された対象者の顔情報を、出口画像から取得した顔情報と照合し、不明候補対象者のうち退場を確認できない対象者を抽出し、第２確認部が抽出された対象者を安否不明者と認定するようになっている。
【先行技術文献】
【特許文献】
【０００３】
【特許文献１】特開２００６−３２３７１９号公報
【発明の概要】
【発明が解決しようとする課題】
【０００４】
前記特許文献１記載の技術では、ＩＤカードによる個人認証と、監視カメラの画像データとを利用して、安否不明者を高い精度で特定している。この方式は、会社従業員などのように、特定の箇所を特定の人間が利用する場合の安否確認には適しているが、集合住宅における居住者の安否確認では、要所に監視カメラを設置し、顔画像を認証する必要があるため、認証を行うための構成が複雑となり、適したものではない。
【０００５】
また、集合住宅における居住者に対する安否確認は、集合住宅の役員が各居室へ訪問して確認するのが一般的であることと、予め登録された要救護者に対し、集合住宅の自治会へ避難支援を依頼している地方自治体が存在するため、特許文献１記載の技術を集合住宅の各居室の安否確認に活用することはできない。
【０００６】
そこで、本発明が解決しようとする課題は、災害発生時における集合住宅居住者の安否確認を正確かつ迅速に行えるようにすることにある。
【課題を解決するための手段】
【０００７】
前記解決するため、本発明は、集合住宅の入退出を制御する入退出コントローラと、前記入退出コントローラに接続されるパーソナルコンピュータと、各居室に設置され、前記集合住宅の各居室に居住者が在室しているか否かを確認するための在室確認用スイッチと、を備えた集合住宅の居住者の安否確認支援システムであって、前記パーソナルコンピュータは、在室データ、居住者データ及び優先度データを記憶する記憶装置、並びに居室毎に安否確認を行なう優先度を設定する制御装置を含み、災害が発生したとき、前記制御装置は前記入退室コントローラに各居室の居住者の在室確認を依頼し、前記入退室コントローラは、前記依頼を受けて前記在室確認用スイッチの操作状態から居住者の在宅データを取得して前記制御装置に出力し、前記制御装置は、前記入退室コントローラから入力された前記在宅データに基づいて居住者の在・不在を判定し、前記居住者データ及び前記優先度データから予め設定された複数の居室単位で安否確認を行なう優先度を設定することを特徴とする。なお、前記以外の課題、構成及び効果は、以下の実施形態の説明によって明らかにされる。
【発明の効果】
【０００８】
本発明によれば、災害発生時において、集合住宅居住者の在宅及び不在の情報を正確に取得することが可能となり、居住者の安否確認を正確かつ迅速に行うことができる。
【図面の簡単な説明】
【０００９】
【図１】本発明の実施形態に係る集合住宅居住者の安否確認支援システムのシステム構成を示すブロック図である。
【図２】図１に示す記憶部の居住者データ格納部に格納される世帯情報テーブルを示す図である。
【図３】図１に示す記憶部の優先度データテーブルに格納される優先度データを示す図である。
【図４】本発明の実施形態に係る集合住宅居住者の安否確認支援システムにおける支援処理の処理手順を示すフローチャートである。
【図５】図４のフローチャートのステップＳ９及びＳ１０で作成される要救護者リストの一例を示す図である。
【図６】図４のフローチャートのステップＳ１１で作成される安否確認リストの一例を示す図である。
【発明を実施するための形態】
【００１０】
以下、図面を参照し、本発明の実施形態について説明する。
【００１１】
図１は、本発明の実施形態に係る集合住宅居住者の安否確認支援システムのシステム構成を示すブロック図である。同図において、安否確認支援システムは、集合住宅１、この集合住宅１の入退出を制御する入退出コントローラ４、及びパーソナルコンピュータ（以下、「パソコン」と称す。）１４から基本的に構成されている。
【００１２】
集合住宅１は、共用部玄関２、エントランスホール６、エレベータＥＬの昇降路６Ａ、階段６Ｂ、各階床の居室２２を備えている。共用部玄関２は、集合住宅１の共用部の入口であり、この共用部玄関２には読取装置３Ａを備えるカードリーグ３が設けられている。この読取装置３Ａが図示しないＩＤカードに記憶されている識別コードを読み取り、この識別コードが入退出コントローラ４の記憶部５に記憶されていると、共用部玄関２とエントランスホール６の間に設けた自動ドア７を開放させる。これにより、集合住宅１へ居住者以外の入館を制限し、セキュリティが確保されことになる。
【００１３】
自動ドア７からエントランスホール６に入ると、エレベータ昇降路６Ａを昇降する図示しないエレベータＥＬあるいは階段室６Ｂを利用して、所望の階床へ移動することができる。入退出コントローラ４は、集合住宅１の図示しない管理人室等に設置され、ＣＰＵ８、記憶部５、ドア制御装置９、入力装置１０、及び入出力装置１１を少なくとも備えている。記憶部５、ドア制御装置９、入力装置１０、及び入出力装置１１は、それぞれＣＰＵ８に接続されている。
【００１４】
記憶部５は、識別データ格納部５Ａ、入館履歴データ格納部５Ｂ及び在室データ格納部５Ｃを含む。識別データ格納部５Ａは、集合住宅１の居住者が個々に保有する図示しないＩＤカードの識別コードを記憶する。入館履歴データ格納部５Ｂは、集合住宅１の居住者が保有する図示しないＩＤカードをカードリーグ３に翳し、読取装置３Ａが読み取った図示しないＩＤカードの識別コード、及び読取装置３Ａが読み取った時刻を記憶する。在室データ格納部５Ｃは、集合住宅１の居住者が後述する在室確認用スイッチ２２Ｄを操作した時刻と居室番号を記憶する。
【００１５】
入力装置１０は、読取装置３Ａが読み取った図示しないＩＤカードの識別コードをＣＰＵ８へ出力し、ＣＰＵ８では予め格納したプログラムに基づき、入館履歴データ格納部５Ｂへの記憶処理を行う。ＣＰＵ８は、入力装置１０から送信された認識コードが識別データ格納部５Ａに予め格納されているかどうかを判定し、予め格納されている認識コードと判定したとき、ドア制御装置９に開許可信号を与える。この開許可信号を受けたドア制御装置９からドア駆動装置１２に開指令信号が与えられ、またエントランスホール６の天井部設けたセンサ１３が人を検出したときの出力信号がドア駆動装置１２に与えられたとき、ドア駆動装置１２が作動して自動ドア７を開放する。ドア制御装置９は、自動ドア７の開放から所定時間が経過すると、ドア駆動装置１２ヘドア閉信号を出力する。
【００１６】
入出力装置１１は、入退出コントローラ４とパーソナルコンピュータ１４（以下パソコン１４と記す）を接続し、入退出コントローラ４とパソコンＴＬ  ４との間で情報の送受信を行う。パソコン１４は、入出力ポート１５、制御装置１６、記憶装置１７、入力部１８、表示部１９及び出力ボート２１を備えている。入出力ポート１５は、入退出コントローラ４の入出力装置１１に接続され、制御装置１６は、この入出力ポート１５に接続されている。記憶装置１７は、在室データ格納部１７Ａ、居住者データ格納部１７Ｂ、優先度データテーブル１７Ｃから構成されている。入力部１８は、図示しないキーボードあるいはマウス等で構成される。表示部１９はいわゆるディスプレイであり、キーボードあるいはマウスなどとともにユーザインターフェイスとして機能する。出力ポート２１は、印字出力するためのプリンタ２０と着脱自在に接続するためのものである。記憶装置１７、入力部１８、表示部１９及び出力ボート２１は、それぞれ制御装置１６に接続されている。
【００１７】
制御装置１６は、安否確認要否設定部１６Ａと優先情報設定部１６Ｂを備えている。安否確認要否設定部１６Ａは、入力部１８から予め定められたＩＤとパスワードを入力すると起動可能となり、集合住宅１の居室２２毎に安否確認の要否を設定する。優先情報設定部１６Ｂは、集合住宅１の居室２２毎に安否確認を行なう優先度を設定する。在室データ格納部１７Ａは、入力部１８の所定の操作によって制御装置１６から出力する指令信号を受けて、入退出コントローラ４の在室データ格納部５Ｃから集合住宅１の居住者が後述する在室確認用スイッチ２２Ｄを操作した時刻と居室番号から、居室２２の在室情報を取得し、それらを在室情報として格納する。また、居住者データ格納部１７Ｂは、集合住宅１の居住者に対する居室２２毎の情報を記憶し、優先度データテーブル１７Ｃは集合住宅１の居室２２毎に安否確認を行なう優先度を設定するためのものである。
【００１８】
集合住宅１の共用部玄関２およびエントランスホール６とは別に、集合住宅１の専有部である２階には、２０１号室を含めて複数の居室２２が設けられている。２０１号の居室２２は、扉２２Ａ、電気錠２２Ｂ、カードリーグ２２Ｃ及び電気錠制御部２３が設置されている。扉２２Ａは玄関に設けられた扉であり、電気錠２２Ｂは扉２２Ａの施解錠を行う。カードリーダ２２Ｃは、扉２２Ａの近傍に設けられ、電気錠制御部２３は、カードリーグ２２Ｃで読み込んだＩＤカードの認識コードが、２０１号の居室２２の扉２２Ａの電気錠２２Ｂにおける解錠許可条件に合致するとき電気錠２２Ｂへ施解錠信号を出力する。
【００１９】
居室２０１号室（２２）には、在室確認用スイッチ２２Ｄ及びランプ２２Ｅが設けられている。在室確認用スイッチ２２Ｄは、操作時刻と居室番号で構成される居室２２の在室情報を、電気錠制御部２３を介して入退室コントローラ４へ出力する。ランプ２２Ｅは、入退室コントローラ４に接続したパソコン１４の制御装置１６あるいは入退室コントローラ４のＣＰＵ８の指令信号によって点灯制御される。ここで、在室確認用スイッチ２２Ｄとランプ２２Ｅは集合住宅１の全居室２２に設けられる。
【００２０】
図２は、記憶装置１７の居住者データ格納部１７Ｂに格納される世帯情報テーブル２４を示す図である。世帯情報テーブル２４は居住者の居室２２毎の情報をテーブル化したものである。
【００２１】
世帯情報テーブル２４は、居室番号２４Ａ、認識コード２４Ｂ、居室者氏名２４Ｃ、生年月日２４Ｄ及び要救護者２４Ｆの各情報を示す列を有し、居室番号２４Ａ毎に前記各情報２４Ｂ，２４Ｃ，２４Ｄ，２４Ｆが記録されている。このうち、居室番号２４Ａは、各階の居室２２の番号である。認識コード２４Ｂは、居室２２毎に配布されて自動ドア７を開放するために使用されるＩＤカードに付された全ての認識コードである。居室者氏名２４Ｃは、居室２２毎に居住する居室者の氏名であり、世帯主が上位に記載される。生年月日２４Ｄは、居住者氏名に対応する当該居住者の生年月日であり、性別２４Ｅはその居住者氏名に対応する男性、女性の別である。要救護者２４Ｆは、居住者氏名に対応して市役所等の自治体へ災害時の要救護者として登録した者か、要介護者か、障害者かを特定するために記入される。
【００２２】
例えば、居室番号２４Ａが２０７の２０７号室では、ＩＤカードが４枚配布され、それらの認識コード２４Ｂは「ａａｇ００１」、「ａａｇ００２」、「ａａｇ００３」、「ａａｇ００４」で、居住者氏名２４Ｃは「×Ｘ○○」の居室者は独り暮らしで、生年月日２４Ｄは１９４０年０３月１５日の７３歳で、性別２４Ｅは女性であることを示している。また、居室番号２４Ａが２０１の２０１号室では、居室者氏名２４Ｃが「○○△○」である居室者は、生年月日２４Ｄは２００５年０１月０８日の８歳で小学生の女の子であることを示している。居室番号２４Ａが２０３の２０３号室では、居室氏名２４Ｃが「△○△○」である居室者は、生年月目２４Ｄが１９４０年０８月１２日の７３歳の女性で、要救護者２４Ｆが「要」となっており、避難時に介添えを必要としていることを示している。居室番号２４Ａが２０４の２０４号室では、居室氏名２４Ｃが「×○△○」の居室者は、生年月日２４Ｄが２０１０年１１月１４日の３歳の女の子で未就学の幼児であることを示している。居室番号２４Ａが２０２と２０７の居室２２には、単身者が居住していることがわかる。この世帯情報テーブル２４は、集合住宅１の自治会の役員あるいは管理人が、居住者の入居や退居の都度に、パソコン１４を起動して更新される。また、認識コード２４Ｂは居室番号２４Ａを特定するためのもので、防犯上重要なる情報であり、表記しないのが通常である。
【００２３】
図３は記憶部１７の優先度データテーブル１７Ｃに格納される優先度データを示す図である。優先度は、地震等の災害発生後に実施され、集合住宅１の各居室２２の安否確認に対する優先順位を示すものである。優先度データテーブル１７Ｃは、世帯条件２５Ａ、優先度２５Ｂ及び安否確認行動２５Ｃの列を有し、世帯条件２５Ａである居住者の年齢や要救護の有無により安否確認の優先度が決められている。世帯条件２５Ａは、要救護者が居住する要救護者世帯２５ａ、６５歳以上の単身世帯２５ｂ、６５歳以下の単身世帯２５ｃ、就学前の乳幼児が居住する同居世帯２５ｄ、小学生が居住する同居世帯２５ｅ、６５歳以上が居住する同居世帯２５ｆ、及びそれ以外の６５歳以下の同居世帯２５ｇに区別されている。
【００２４】
要救護者世帯２５ａは優先度２５Ｂが一番目の「１」に設定され、６５歳以上の単身世帯２５ｂと就学前の乳幼児が居住する同居世帯２５ｄは優先度２５Ｂが二番目の「２」に設定されている。６５歳以上が居住する同居世帯２５ｆは優先度２５Ｂが三番目の「３」に設定されている。また小学生が居住する同居世帯２５ｅは小学生が在宅している休日と平目の１７：００〜８：００の時間帯に関して優先度２５Ｂが三番目の「３」に設定され、それ以外の時間帯に関しては小学生が登校して不在であるので、優先度２５Ｂが四番目の「４」に設定されている。６５歳以下の単身世帯２５ｃとそれ以外の同居世帯２５ｇは優先度２５Ｂが四番目の「４」に設定されている。
安否確認行動２５Ｃは、居住者の在・不在の判定による安否確認行動の初動確認を示すもので、優先度２５Ｂが一番目の「１」では、居住者の在・不在にかかわらず図示しないマスターキー等で入室し、要救護者の避難支援が実施される「入室し避難支援」の文言が設定されている。また、優先度２５Ｂが二番目の「２」においては、居住者が在宅と判定した場合、安全を再確認する意味で安否確認行動２５Ｃは「インターフォンで確認」の文言が設定されると共に、居住者が不在と判定した場合、図示しないマスターキー等で入室して居住者を目視にて確認される「入室し確認」の文言が設定されている。
【００２５】
優先度２５Ｂが三番目の「３」では、居住者が在宅と判定した場合、安全であろうと判断し、安否確認行動２５Ｃは「確認済」の文言が設定され、居住者が不在と判定した場合、在宅を再確認する意味で安否確認行動２５Ｃは「インターフォンで確認」の文言が設定されている。さらに、優先度２５Ｂが四番目の「４」では、居住者が在宅と判定した場合、安全であろうと判断し、安否確認行動２５Ｃは「確認済」の文言が設定され、居住者が不在と判定した場合、集合住宅１以外の場所に外出しており安否確認不要と判断し、安否確認行動２５Ｃは「不要」の文言が設定されている。この優先度データテーブル１７Ｃに示すように、本実施形態における居住者安否の初動確認は、優先度２５Ｂの「１」〜「４」に応じた行動を指示するものである。
【００２６】
図４は、このように構成される集合住宅居住者の安否確認支援システムにおける支援処理の処理手順を示すフローチャートである。
例えば災害である地震が発生し、集合住宅１の居住者に対する安否確認を実施するとき、集合住宅１の防災担当役員は、図示しない管理人室へ入室し、設置されている入退出コントローラ４の入出力装置１１にパソコン１４を接続し、パソコン１４の電源を投入してパソコン１４を立ち上げる。そして、パソコン１４の図示しないメニュー画面から安否確認を選択する（ステップＳ１）。
【００２７】
この選択によりＩＤとパスワードの入力画面が表示部１９に表示される。そこで、予め定めたＩＤとパスワードを入力部１８から入力すると（ステップＳ２）、パソコン１４に格納されている安否確認支援システムが起動する（ステップＳ３）。本実施形態における安否確認支援システムは、個人情報を取り扱うことからＩＤとパスワードが合致しないと起動できないように設定されている。
【００２８】
安否確認支援システムが起動した後、防災担当役員は、この安否確認支援システムの起動に伴ってパソコン１４の表示部１９に表示される災害発生日時画面へ発生日時を入力部１８から入力する（ステップＳ４）。発生日時は、例えば、地震発生日時である２０１３年０９月３０日、月曜日、１９：３０である。この日時の入力により制御装置１６は、入退出コントローラ４の入出力装置１１を介し、ＣＰＵ８に対して在室確認依頼処理を出力する。この出力により、入出力装置１１と電気錠制御部２３を介して、２０１号室の在室確認用スイッチ２２Ｄを有効にし、また、ランプ２２Ｅを点滅させ２０１号室の居住者に対して、在室確認の情報提供である在室確認用スイッチ２２Ｄの操作を促す（ステップＳ５）。ランプ２２Ｅの点滅に気付いた２０１号室２２の居住者は、在室確認用スイッチ２２Ｄを操作する。ここで、集合住宅１の２階の居室番号２０１〜２０７で、在室確認用スイッチ２２Ｄを操作した居室２２は、２０１号室、２０４号室、２０６号室とする。
【００２９】
電気錠制御部２３は、在室確認用スイッチ２２が操作された時刻及びその居室番号で構成される居室２２の在室情報を、入退出コントローラ４の入出力装置１１へ送信する。入退出コントローラ４のＣＰＵ８は、電気錠制御部２３から送信された居室２２の在室情報を在室データ格納部５Ｃへ一旦格納する（ステップＳ６）。ここで、在室情報として在室データ格納部５Ｃへ格納された在室確認用スイッチ２２Ｄを操作した居室（例えば２０１号室、２０４号室、２０６号室）２２に対し、ＣＰＵ８は、入出力装置１１を介して電気錠制御部２３ヘランプ２２Ｅの点灯信号を送信し、ランプ２２Ｅを点滅から点灯状態に切り替える。
【００３０】
制御装置１６は、ステップＳ４にて災害発生日時入力からの時間が３０分経過したかを計測し（ステップＳ７）、３０分未満の場合はステップＳ６の居室２２の在室情報が入退出コントローラ４の在室データ格納部５Ｃへ格納され、３０分が経過すると、パソコン１４の表示部１９に「在室情報格納完了」と表示する。
【００３１】
次に、防災担当役員は、表示部１９の「在室情報格納完了」を確認すると、入力部１８からの入力によって安否確認要否設定部１６Ａが起動される。安否確認要否設定部１６Ａは、在室データ格納部５Ｃに格納された居室２２の在室情報を在室データ格納部１７Ａへ格納するとともに、在室データ格納部１７Ａに在室情報が格納されている居室２２を在室（２階の居室２２では２０１号室、２０４号室、２０６号室）と判断し、在室情報が格納されていない居室２２を不在（２階の居室２２では２０２号室、２０３号室、２０５号室、２０７号室）と判断する（ステップＳ８）。すなわち、在・不在処理を実行する。そのため、安否確認要否設定部１６Ａが、在・不在設定手段を構成する。
【００３２】
在・不在処理が終了すると、制御装置１６は安否確認要否設定部１６Ａの処理が終了したと判断し、優先情報設定部１６Ｂを起動する。優先情報設定部１６Ｂでは、地震発生時刻である２０１３年０９月３０１日、月曜日、１９：３０と、安否確認要否設定部１６ＡがステップＳ８で処理した集合住宅１の各居室２２における在・不在の情報と、図２に示す世帯情報テーブル２４の生年月日２４Ｄ及び要救護者２４Ｆと、図３に示す優先度データテーブル１７Ｃの世帯条件２５Ａ及び優先度２５Ｂと、をそれぞれ突き合わせ、集合住宅１の居室２２毎に安否確認の優先度を設定する処理を実行する（ステップＳ９）。ここで、居室番号２４Ａが２０４で示される居室２２は要救護者が存在するので優先度が「１」であり、居室番号２４Ａが２０１で示される居室２２には小学生が居住し、地震発生時刻が１９：３０のため優先度が「３」となる。
【００３３】
ステップＳ９で居室２２毎の安否確認に関する優先度設定処理が完了すると、防災担当役員はパソコン１４の表示部１９に表示される安否確認印字を確認し、入力部１８からパソコン１４の出力ポート２１に接続されたプリンタ２０に要救護者リストの印字処理を指示する。これにより、制御装置１６は、優先情報設定部１６Ｂが処理した優先度が「１」の要救護者リスト２７（図５）の印字データをプリンタ２０へ出力する（ステップＳ１０）。ここで、制御装置１６、安否確認要否設定部１６Ａ及び優先情報設定部１６Ｂが、優先確認設定手段を構成している。
【００３４】
図５に示す要救護者リスト２７は、居室番号２７Ａ１、世帯主２７Ａ２、要救護者２７Ａ３、年齢２７Ａ４、性別２７Ａ５及び救出結果２７Ａ６列で構成される要救護一覧表２７Ａと、この要救護一覧表２７Ａの下方に、「避難時に介添えが必要な方です。」と記載される注記２７Ｂとで構成されている。この要救護一覧表２７Ａは、図２に示す世帯情報テーブル２４の要救護者２４Ｆを参照して抽出される。要救護一覧表２７Ａは、要救護者である居室番号２７Ａ１が２０３で示される居室２２の「△○△○」７３歳の女性と、居室番号２７Ａ１が４０５で示される居室２２の「××Ｘ○」７８歳の男性について、世帯主名を含む介添えに必要なる最小の情報が記載されている。救出結果２７Ａ６は、救出状況を実際に確認して手書きする欄である。
また、防災担当役員が階床別安否確認の印字処理を入力部１８から行なうと、制御装置１６は、図６に示す階床別安否確認状況管理リストである安否確認リスト２８を出力する（ステップＳ１１）。
【００３５】
安否確認リスト２８は、安否確認の印字処理を実施した時刻を表示し、例えば「第１回安否確認リスト  作成時刻：２０：００」と記載されるリスト作成時刻表示欄２８Ａ、災害発生時刻を表示し、例えば「災害発生時刻  ２０１３年９月３０日（月）１９：３０」と記載される災害発生時刻表示欄２８Ｂ及び安否確認一覧表２８Ｃから構成されている。なお、安否確認リスト２８は、安否確認の効率を考慮し、本実施形態では階床毎に印字しているが、全階床、あるいは階床を指定して印字させるようにしてもよい。
【００３６】
安否確認一覧表２８Ｃは、居室番号２８Ｃ１、世帯主２８Ｃ２、在・不在２８Ｃ３、優先度２８Ｃ４、確認方法２８Ｃ５及び確認結果２８Ｃの各欄から構成されている。世帯主２８Ｃ２欄には、世帯情報テーブル２４の居室者氏名２４Ｃの上位者が選択され、表示される。在・不在２８Ｃ３欄には、ステップＳ８で安否確認要否設定部１６Ａが処理した居室２２毎の在・不在データが記載される。優先度２８Ｃ４欄には、ステップＳ９で優先情報設定部１６Ｂが処理した各居室２２に対する安否確認の優先度データが記載される。確認方法２８Ｃ５欄には、居室２２毎の在・不在データと、各居室２２に対する安否確認の優先度データに基づいて、優先度データテーブル１７Ｃの安否確認行動２５Ｃから文言を抽出し、記載される。確認結果２８Ｃ６欄は、安否確認結果を手書きする欄であり、印字出力時には空欄である。
【００３７】
安否確認一覧表２８Ｃの各欄には、例えば図６に示すような各情報が記載される。すなわち、居室番号２８Ｃ１が２０１で示される居室２２欄には世帯主「○○△△」、在・不在２８Ｃ３欄には「在」、優先度２８Ｃ４欄には「３」、確認方法２８Ｃ５欄には「不要」と記載される。居室番号２８Ｃ１が２０２で示される居室２２欄には世帯主「××○○」、在・不在２８Ｃ３欄には「不在」、優先度２８Ｃ４欄には「４」、確認方法２８Ｃ５欄には「不要」と記載される。居室番号２８Ｃ１が２０３で示される居室２２欄には世帯主「△○△△」、在・不在２８Ｃ３欄には「不在」、優先度２８Ｃ４欄には「１」、確認方法２８Ｃ５欄には「入室し避難支援」と記載される。
【００３８】
居室番号２８Ｃ１が２０４で示される居室２２欄には世帯主「Ｘ○△△」、在・不在２８Ｃ３欄には「在」、優先度２８Ｃ４欄には「２」、確認方法２８Ｃ５欄には「インターフォンで確認」と記載される。居室番号２８Ｃ１が２０５で示される居室２２欄には世帯主「○△△△」、在・不在２８Ｃ３欄には「不在」、優先度２８Ｃ４欄には「３」、確認方法２８Ｃ５欄には「インターフォンで確認」と記載される。居室番号２８Ｃ１が２０６で示される居室２２欄には世帯主「○Ｘ△△」、在・不在２８Ｃ３欄には「在」、優先度２８Ｃ４欄には「３」、確認方法２８Ｃ５欄には「不要」と記載される。さらに居室番号２８Ｃ１が２０７で示される居室２２欄には世帯主「△×△△」、在・不在２８Ｃ３欄には「不在」、優先度２８Ｃ４欄には「２」、確認方法２８Ｃ５欄には「インターフォンで確認応答無き場合入室」と記載される。
【００３９】
このように、防災担当役員によって印字された要救護者リスト２７は、救護担当役員に渡され、また同様に印字された安否確認リスト２８は、各階の役員に渡されて、それぞれ救護活動や、安否確認活動が実施される。要救護者に関しては、集合住宅１のエントランスホール６、あるいは図示しない管理人室に一旦避難させてから、避難する居住者と一緒に避難場所へ向かうのが望ましい。また、各階の役員は、安否確認リスト２８の優先度２８Ｃ４と確認方法２８Ｃ５を参照すれば、無駄が少なく効率良い安否確認を実施することができ、確認結果２８Ｃ６へ状況や結果を手書きで記載し、安否確認終了後に防災担当役員に渡す。これを受けた防災担当役員は、確認結果２８Ｃ６の記載項目をパソコン１４へ入力すれば、二回目の安否確認に反映させることができる。
【００４０】
ここで、二回目の安否確認を実施する際、防災担当役員は、ステップＳ１〜ステップＳ１１のパソコン１４への操作を行って、安否確認リスト２８を作成し、各階の役員は、安否確認リスト２８における確認方法２８Ｃ５欄が「不要」、及び在・不在２８Ｃ３欄が「不在」と記載されている居室番号２８Ｃ１が２０２で示される居室２２と２０５で示される居室２２に対する安否確認を、重点的に行えば良い。三回目の安否確詔が行われるとき、防災担当役員は、安否確認リスト２８における確認方法２８Ｃ５欄が「不要」、及び在・不在２８Ｃ３欄が「不在」と記載されている居室番号２８Ｃ１が２０２と２０５の２つの居室２２に対し、図示しないマスターキー等で入室し、安否状況の目視確認を実施すれば、居住者の安否を確実に確認することができる。また、パソコン１４を入退室コントローラ４から取り外すと、入退室コントローラ４のＣＰＵ８は、電気錠制御部２３ヘランプ２２Ｅの消灯信号を送信し、全居室のランプ２２Ｅを消灯させる。
【００４１】
本実施形態によれば、地震発生時刻以降に居住者が在室確認用スイッチ２２Ｄを操作したか否かにより、在宅或いは不在を判断するので、居室毎の在・不在情報を正確に把握することができる。また、単身世帯あるいは同居世帯、及び居住者に就学前の小学生あるいは６５歳以上の男女の存在等、世帯条件に応じた安否確認の優先順位と、前述した居室２２毎の在・不在情報を組み合わせた安否確認行動を設定するようにしたので、正確且つ迅速なる安否確認が実施できる。
【００４２】
本実施形態では、安否確認リスト２５の作成にあたり、図３に示す優先度データテーブル１７Ｃを活用したが、世帯条件２３Ａや優先度２３Ｂ及び安否確認行動２３Ｃに関し、集合住宅１の管理組合や自治会等で任意に決めても良い。また、集合住宅１の管理組合又は自治会において、災害発生時や防災訓練時に、居住者の在宅を知らしめるために、各居室２２に設けたランプ２２Ｅが点滅してから在室確認用スイッチ２２Ｄを操作することを予め決めておけば、各階の役員が安否確認に要する時間を短縮できることは明らかである。
【００４３】
本実施形態では、居室の在室情報を入退出コントローラ４の在室データ格納部５Ｃに一旦格納し、パソコン１４の在室データ格納部１７Ａへ格納するようにしているが、直接パソコン１４の在室データ格納部１７Ａへ格納しても同様に処理することが可能である。
【００４４】
さらに、本実施形態では、入退室コントローラ４にパソコン１４を接続させて、居室における在・不在の確認、あるいは要救護者リスト２７及び安否確認リスト２８の作成を行うようにしているが、入退室コントローラ４と通信回線を介して遠隔的に接続され、建物１の設備機器の異常発生を監視する監視センタで前記材・不在の確認、あるいは要救護者リスト２７及び安否確認リスト２８を作成しても通信回線が確立されていれば、同様に処理することが可能で、同様の効果を得ることができる。
【００４５】
以上のように、本実施形態によれば、次のような効果を奏する。なお、実施形態における効果の説明では、本実施形態の各部について、特許請求の範囲における各構成要素をかっこ書きで示し、若しくは参照符号を付し、両者の対応関係を明確にした。
【００４６】
（１）集合住宅１の入退出を制御する入退出コントローラ４と、入退出コントローラ４に接続されるパーソナルコンピュータ１４と、各居室２２に設置され、集合住宅１の各居室２２に居住者が在室しているか否かを確認するための在室確認用スイッチ２２Ｄと、を備えた集合住宅居住者の安否確認支援システムであって、パーソナルコンピュータ１４は、在室データ、居住者データ及び優先度データを記憶する記憶装置１７、並びに居室２２毎に安否確認を行なう優先度を設定する制御装置１６を含み、災害が発生したとき、制御装置１６は入退室コントローラ４に各居室２２の居住者の在室確認を依頼し、入退室コントローラ４は、前記依頼を受けて在室確認用スイッチ２２Ｄの操作状態から居住者の在宅データを取得して制御装置１６に出力し、制御装置１６は、入退室コントローラ４から入力された在宅データに基づいて居住者の在・不在を判定し、居住者データ及び優先度データから予め設定された居室２２単位で安否確認を行なう優先度を設定するので、居室２２毎の在・不在情報を正確に把握することができる。また、単身世帯あるいは同居世帯（居住者データ）、及び居住者に就学前の小学生あるいは６５歳以上の男女の存在（優先度データ）等、世帯条件に応じた安否確認の優先順位と、前述した居室２２毎の在・不在情報を組み合わせた安否確認行動を設定するようにしたので、正確かつ迅速な安否確認を行うことができる。
【００４７】
（２）集合住宅１の共有部玄関２及び各居室２２の自動ドア７及び扉２２Ａ（出入口扉）の近傍に設けられてＩＤカードに記憶されている認識コードを読み込むカードリーダ３，２２Ｃ、及び自動ドア７及び出入口扉の開閉を制御する入退室コントローラ４及び電気錠制御部２３（制御部）と、をさらに備え、カードリーグ３，２２Ｃが読み込んだ認識コードは入退出コントローラ４及び電気錠制御部２３（制御部）に送信され、カードリーダ３，２２Ｃが読み込んだ認識コードが入退出コントローラ４及び電気錠制御部２３に予め記憶されている集合住宅居住者に付与される詔識コードと合致したとき、共用部玄関２に設けた自動ドア７および出入口扉２２Ａを開放し、カードリーダ３，２２Ｃが読み込んだＩＤカードの認識コードと読み込み時刻は入退室コントローラ４及び電気錠制御部２３（制御部）に格納されるので、居住者の入退室動作に伴って入退室情報が入退室コントローラ４及び電気錠制御部２３（制御部）に格納され、そのときの最新の居住者情報が常に更新される。これにより、災害発生時に在室確認情報と参照すれば、精度の高い在・不在情報を得ることができる。
【００４８】
（３）在室確認用スイッチ２２Ｄは、パーソナルコンピュータ１４の指令信号によって操作による信号出力が有効となるので、災害発生時以降のみ使用され、通常は作動しない。これにより、居住者のプライバシーを確保した上で、安否確認の優先度を設定することができる。
【００４９】
（４）各居室２２に設置され、入退室コントローラ４のＣＰＵ８又は前記パーソナルコンピュータ１４の指令信号によって点滅制御され、安否確認用スイッチ２２Ｄの操作により、点灯制御されるランプ２２Ｅを備えたので、ランプ２２Ｅを点滅させ、居住者に対して在室確認用スイッチ２２Ｄの操作を促し、ランプ２２Ｅの点滅に気付いた居住者は、在室確認用スイッチ２２Ｄを操作することにより、役員が安否確認に要する時間を短縮することができ、効率的な安否確認が可能となる。
【００５０】
（５）予め設定された居室単位が、予め設定された複数の居室２２を１つの単位であり、あるいは、１つの単位が階床毎の複数の居室２２としたので、予め設定された複数の居室２２、あるいは階床単位で安否確認を行うことが可能となり、単位毎の役員、あるいは各階の役員が担当の居室２２毎あるいは階床毎に効率的に安否確認を行うことができる。
【００５１】
なお、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００５２】
１  集合住宅
２  共用部玄関
３  カードリーダ
４  入退出コントローラ
５  記憶部
７  自動ドア
８  ＣＰＵ
１４  パーソナルコンピュータ
１６  制御装置
１７  記憶装置
１７Ａ  在室データ格納部
１７Ｂ  居住者データ格納部
１７Ｃ  優先度データテーブル
２２  居室
２２Ａ  扉
２２Ｂ  電気錠
２２Ｃ  カードリーダ
２２Ｄ  在室確認用スイッチ
２２Ｅ  ランプ
２３  電気錠制御部（制御部）
【図１】
2016045646.tif 000003
【図２】
2016045646.tif 000004
【図３】
2016045646.tif 000005
【図４】
2016045646.tif 000006
【図５】
2016045646.tif 000007
【図６】
2016045646.tif 000008